(57)【要約】  隣接する模型歯同士の間に隙間が生じにくい模型歯、模型歯台、及び歯科模型を提供する。  本発明の模型歯２０は、複数の挿入孔１３が設けられ、挿入孔１３の内側面に、挿入孔１３の奥側が入口側より狭くなるように挿入孔側段部１３ｂが設けられている模型歯台１０と、挿入孔１３のそれぞれに着脱可能で、挿入孔１３に挿入されたときに挿入孔１３から露出する歯冠部２１及び挿入孔１３の内部に挿入される歯根部２２を有する複数の模型歯２０と、を備える歯科模型に用いられる模型歯２０であって、挿入孔１３に挿入されたときに挿入孔側段部１３ｂと当接し、模型歯２０が挿入孔１３内へ深く挿入されるにつれて、互いに隣接する模型歯２０間の距離が縮まる方向に模型歯２０を移動させる模型歯側段部２６が、歯根部２２の外側面に設けられている。
2020065848.tif 000002
【特許請求の範囲】
【請求項１】
複数の挿入孔が設けられ、前記挿入孔の内側面に、前記挿入孔の奥側が入口側より狭くなるように挿入孔側段部が設けられている模型歯台と、
前記挿入孔のそれぞれに着脱可能で、前記挿入孔に挿入されたときに前記挿入孔から露出する歯冠部及び前記挿入孔の内部に挿入される歯根部を有する複数の模型歯と、
を備える歯科模型に用いられる前記模型歯であって、
前記挿入孔に挿入されたときに前記挿入孔側段部と当接し、前記模型歯が前記挿入孔内へ深く挿入されるにつれて、互いに隣接する模型歯間の距離が縮まる方向に前記模型歯を移動させる模型歯側段部が、前記歯根部の外側面に設けられた、
模型歯。
【請求項２】
複数の挿入孔が設けられ、前記挿入孔の内側面に、前記挿入孔の奥側が入口側より狭くなるように挿入孔側段部が設けられている模型歯台と、
前記挿入孔のそれぞれに着脱可能で、前記挿入孔に挿入されたときに前記挿入孔から露出する歯冠部及び前記挿入孔の内部に挿入される歯根部を有する複数の模型歯と、
を備える歯科模型に用いられる前記模型歯であって、
歯冠部側の断面よりも先端側の断面が小さくなるように、且つ前記挿入孔への前記模型歯の挿入方向に対して傾斜した模型歯側段部が、前記歯根部の外側面に設けられた、
模型歯。
【請求項３】
前記模型歯側段部は、前記歯科模型の外側から内側に向かう傾斜面を備える、
請求項１または２に記載の模型歯。
【請求項４】
前記模型歯側段部は、前記歯科模型の奥歯側から前歯側に向かう傾斜面を備える、
請求項１から３のいずれか１項に記載の模型歯。
【請求項５】
複数の挿入孔が設けられた模型歯台と、
前記挿入孔のそれぞれに着脱可能で、前記挿入孔に挿入されたときに前記挿入孔から露出する歯冠部及び前記挿入孔の内部に挿入される歯根部を有し、前記歯根部の外側面に、先端側の断面が小さくなるように設けられた模型歯側段部が設けられている複数の模型歯と、
を備える歯科模型に用いられる前記模型歯台であって、
前記挿入孔の奥側が入口側より狭くなるように、且つ前記模型歯が前記挿入孔に挿入されたときに前記模型歯側段部と当接し、前記模型歯が前記挿入孔内へ深く挿入されるにつれて、互いに隣接する模型歯間の距離が縮まる方向に前記模型歯を移動させる挿入孔側段部が前記挿入孔の内側面に設けられている、
模型歯台。
【請求項６】
複数の挿入孔が設けられた模型歯台と、
前記挿入孔のそれぞれに着脱可能で、前記挿入孔に挿入されたときに前記挿入孔から露出する歯冠部及び前記挿入孔の内部に挿入される歯根部を有し、前記歯根部の外側面に、先端側の断面が小さくなるように設けられた模型歯側段部が設けられている複数の模型歯と、
を備える歯科模型に用いられる前記模型歯であって、
前記挿入孔の奥側が入口側より狭くなるように、且つ前記挿入孔への前記模型歯の挿入方向に対して傾斜した挿入孔側段部が前記挿入孔の内側面に設けられている、
模型歯台。
【請求項７】
前記模型歯側段部は、前記歯科模型の外側から内側に向かう傾斜面を備える、
請求項５または６に記載の模型歯台。
【請求項８】
前記模型歯側段部は、前記歯科模型の奥歯側から前歯側に向かう傾斜面を備える、
請求項５から７に記載の模型歯台。
【請求項９】
請求項１から４のいずれか１項に記載の模型歯と、
請求項５から８のいずれか１項に記載の模型歯台と、
を備える歯科模型。
【発明の詳細な説明】
【技術分野】
【０００１】
本発明は、模型歯、模型歯台、及び歯科模型に関する。
【背景技術】
【０００２】
従来、歯科教育機関（歯科大学、衛生士学校、技工士学校）、歯科医院、歯科セミナー等においては、種々の実習を行う場合に歯科模型が用いられている。このような歯科模型として、複数の模型歯と、この模型歯がそれぞれ着脱可能な挿入孔が設けられた模型歯台と、を備えるものがある。この歯科模型は、挿入孔に模型歯を挿入し、模型歯台の裏側からネジによって模型歯と模型歯台とを固定している（特許文献１参照）。
【先行技術文献】
【特許文献】
【０００３】
【特許文献１】特開２００７−３２８０８３号公報
【発明の概要】
【発明が解決しようとする課題】
【０００４】
しかし、製造の際に模型歯台の挿入孔を模型歯の歯根部の大きさと厳密に一致させると、製造誤差により、挿入孔に模型歯の歯根部を挿入できない可能性があるため、模型歯台の孔は、模型歯の歯根部よりも若干大きく形成されている。このため、挿入孔に歯科模型を入れてネジ止めした場合に、互いに隣接する模型歯同士の間に隙間が生じる場合がある。【０００５】
本発明は、複数の模型歯と、この模型歯がそれぞれ着脱可能な挿入孔が設けられた模型歯台とを備える歯科模型における、隣接する模型歯同士の間に隙間が生じにくい模型歯、模型歯台、及び歯科模型を提供すること目的とする。
【課題を解決するための手段】
【０００６】
本発明の一態様の模型歯は、複数の挿入孔が設けられ、前記挿入孔の内側面に、前記挿入孔の奥側が入口側より狭くなるように挿入孔側段部が設けられている模型歯台と、前記挿入孔のそれぞれに着脱可能で、前記挿入孔に挿入されたときに前記挿入孔から露出する歯冠部及び前記挿入孔の内部に挿入される歯根部を有する複数の模型歯と、を備える歯科模型に用いられる前記模型歯であって、前記挿入孔に挿入されたときに前記挿入孔側段部と当接し、前記模型歯が前記挿入孔内へ深く挿入されるにつれて、互いに隣接する模型歯間の距離が縮まる方向に前記模型歯を移動させる模型歯側段部が、前記歯根部の外側面に設けられている。【０００７】
また、本発明の他の態様の模型歯は、複数の挿入孔が設けられ、前記挿入孔の内側面に、前記挿入孔の奥側が入口側より狭くなるように挿入孔側段部が設けられている模型歯台と、前記挿入孔のそれぞれに着脱可能で、前記挿入孔に挿入されたときに前記挿入孔から露出する歯冠部及び前記挿入孔の内部に挿入される歯根部を有する複数の模型歯と、を備える歯科模型に用いられる前記模型歯であって、歯冠部側の断面よりも先端側の断面が小さくなるように、且つ前記挿入孔への前記模型歯の挿入方向に対して傾斜した模型歯側段部が、前記歯根部の外側面に設けられている。【０００８】
前記模型歯側段部は、前記歯科模型の外側から内側に向かう傾斜面を備えていることが好ましい。【０００９】
前記模型歯側段部は、前記歯科模型の奥歯側から前歯側に向かう傾斜面を備えていることが好ましい。【００１０】
さらに、本発明の一態様の模型歯台は、複数の挿入孔が設けられた模型歯台と、前記挿入孔のそれぞれに着脱可能で、前記挿入孔に挿入されたときに前記挿入孔から露出する歯冠部及び前記挿入孔の内部に挿入される歯根部を有し、前記歯根部の外側面に、先端側の断面が小さくなるように設けられた模型歯側段部が設けられている複数の模型歯と、を備える歯科模型に用いられる前記模型歯台であって、前記挿入孔の奥側が入口側より狭くなるように、且つ前記模型歯が前記挿入孔に挿入されたときに前記模型歯側段部と当接し、前記模型歯が前記挿入孔内へ深く挿入されるにつれて、互いに隣接する模型歯間の距離が縮まる方向に前記模型歯を移動させる挿入孔側段部が前記挿入孔の内側面に設けられている。【００１１】
また、本発明の他の態様の模型歯台は、複数の挿入孔が設けられた模型歯台と、前記挿入孔のそれぞれに着脱可能で、前記挿入孔に挿入されたときに前記挿入孔から露出する歯冠部及び前記挿入孔の内部に挿入される歯根部を有し、前記歯根部の外側面に、先端側の断面が小さくなるように設けられた模型歯側段部が設けられている複数の模型歯と、を備える歯科模型に用いられる前記模型歯であって、前記挿入孔の奥側が入口側より狭くなるように、且つ前記挿入孔への前記模型歯の挿入方向に対して傾斜した挿入孔側段部が前記挿入孔の内側面に設けられている。【００１２】
前記模型歯側段部は、前記歯科模型の外側から内側に向かう傾斜面を備えていることが好ましい。【００１３】
前記模型歯側段部は、前記歯科模型の奥歯側から前歯側に向かう傾斜面を備手いることが好ましい。【００１４】
また本発明の歯科模型は、上記模型歯と、上記模型歯台と、を備える。
【発明の効果】
【００１５】
本発明によれば、複数の模型歯と、この模型歯がそれぞれ着脱可能な挿入孔が設けられた模型歯台とを備える歯科模型における、隣接する模型歯同士の間に隙間が生じにくい模型歯、模型歯台、及び歯科模型を提供することができる。
【図面の簡単な説明】
【００１６】
【図１】本発明の歯科模型１の全体斜視図である。
【図２】歯科模型１から模型歯２０を取り外した状態の模型歯台１０の斜視図である。
【図３】図１に示す歯科模型１のＡ−Ａ断面図である。
【図４】図１における矢印Ｂの方向から見た状態の模型歯２０Ａの正面図であり、模型歯台１０を点線で示す。
【図５】模型歯台１０へ模型歯２０を挿入する際の、模型歯２０の移動状態を説明する図である。
【図６】模型歯台１０へ模型歯２０を挿入する際の、模型歯２０の移動状態を説明する図である。
【図７】模型歯２０全体の移動方向を示した図である。
【発明を実施するための形態】
【００１７】
以下、本発明の一実施形態について図面を参照しながら説明する。図１は、本発明の歯科模型１の全体斜視図である。歯科模型１は、模型歯台１０と、模型歯台１０に取り付けられる複数の模型歯２０とを備える。模型歯台１０及び模型歯２０は、それぞれ硬質の合成樹脂材を射出成形することにより形成されている。
図２は歯科模型１から模型歯２０を取り外した状態の模型歯台１０の斜視図である。図３は、図１に示す歯科模型１のＡ−Ａ断面図である。図４は図１における矢印Ｂの方向から見た状態の模型歯２０（２０Ａ）の正面図であり、模型歯台１０を点線で示す。
【００１８】
（模型歯台１０）
模型歯台１０は、台上に載置可能なように平坦な底面１４を有する台座部１１と、台座部１１より山形に突出した歯肉部１２とを備える。
歯肉部１２は、山形に突出した部分の頂部に、複数の模型歯２０がそれぞれ挿入可能な複数の挿入孔１３が設けられている。
また、模型歯台１０の底面１４から、それぞれの挿入孔１３に向って、後述するネジ３０が挿入される複数のネジ孔１５が設けられている。ネジ孔１５の底面１４側は、ネジ３０のネジ頭部３２が挿通可能な第１径ｒ１であるが、ネジ孔１５の挿入孔１３側は、ネジ頭部３２は挿通不能であるが、ネジ軸部３１は挿通可能な第２径ｒ２で、第２径ｒ２は第１径ｒ１より小さい。
【００１９】
（模型歯２０）
模型歯２０は、それぞれ歯冠部２１と、歯根部２２と、ネジ孔部２４とを備える。歯冠部２１は、模型歯２０を模型歯台１０に固定した状態で、歯肉部１２から露出する部分である。歯根部２２は、模型歯２０を模型歯台１０に固定した状態で、挿入孔１３の内部に挿入されて歯肉部１２に覆われる部分である。ネジ孔部２４は、歯根部２２の端面から歯冠部２１側に延び、ネジ孔部２４の内面には、ネジ溝が設けられている。
【００２０】
ネジ３０は、ネジ軸部３１とネジ頭部３２とを備える。ネジ軸部３１の周面には、ネジ孔部２４のネジ溝と螺合するネジ山が形成される。ネジ軸部３１は、台座部１１の底面１４側からネジ孔１５に挿入され、模型歯２０のネジ孔部２４に挿入される。そして、ネジ３０のネジ溝と、ネジ孔部２４のネジ溝とが螺合することで、模型歯２０が模型歯台１０に固定される。
【００２１】
以下、図１に示すように、歯科模型が実際の口内である場合の舌が存在する舌側を内側、その逆側である頬側及び唇側を外側と定義する。また、図示するように奥歯側及び前歯側を定義する。さらに、上顎の歯か下顎の歯かにかかわらず、図中に示すように台座部１１側を下側と、模型歯２０側を上側と定義する。
【００２２】
（模型歯２０）
模型歯２０は、図１に点線で示すように、奥歯側の臼歯の場合、歯根部２２の断面が略矩形で、前歯側の犬歯、側切歯及び中切歯は、歯根部２２の断面が略三角形である。そして、断面が略矩形又は略三角形に限らず、全ての模型歯２０において、歯根部２２の外側面のうちの一つの外側面２２ａは外側を向いている。その外側を向いた外側面２２ａの下部には、模型歯側段部２６が設けられている。
【００２３】
（模型歯側段部２６）
歯根部２２は、図３に示すように、模型歯側段部２６が設けられていることにより、模型歯側段部２６よりも下側（先端側）の断面が模型歯側段部２６よりも上側（歯冠部側）の断面より小さくなっている。すなわち、歯根部２２は、模型歯側段部２６より下側が上側より細い。
【００２４】
また、模型歯側段部２６を形成する面は、模型歯台１０の挿入孔１３への挿入方向（上下方向）に対して直交する面、すなわち、模型歯台１０の底面１４と平行な面ではなく、挿入方向に対して傾斜した傾斜面、すなわち、模型歯台１０の底面１４に対して傾斜した傾斜面である。
この模型歯側段部２６の傾斜面は２方向に傾斜している。
そのうちの一方向は、図３に示すように、外側から内側に向かうにつれて、上側から下側に向う方向である。
そのうちの他方向は、図４に示すように、奥歯側から前歯側に向かうにつれて、上側から下側に向かう方向である。
【００２５】
（模型歯台１０の挿入孔１３）
模型歯台１０に設けられた挿入孔１３の形状は、それぞれに挿入される模型歯２０の歯根部２２の形状に対応している。すなわち、奥歯側の臼歯が挿入される挿入孔１３は断面が略矩形で、前歯側の犬歯、側切歯、中切歯が挿入される挿入孔１３は、断面が略三角形である。
ただし、模型歯台１０の挿入孔１３を、模型歯２０の歯根部２２の大きさと厳密に一致させると、製造誤差により、模型歯台１０の挿入孔１３に、模型歯２０の歯根部２２を挿入できない可能性がある。このため、模型歯台１０の挿入孔１３は、模型歯２０の歯根部２２よりも若干大きく形成されている。
【００２６】
（挿入孔側段部１３ｂ）
また、挿入孔１３の内側面のうちの一つの内側面１３ａは、挿入孔１３の中央部から見て外側の面で、歯列と略平行に設けられ、その内側面１３ａの下部には、挿入孔側段部１３ｂが設けられている。
【００２７】
挿入孔側段部１３ｂは、図３に示すように、模型歯側段部２６と対応するように設けられている。すなわち、挿入孔１３は、挿入孔側段部１３ｂが設けられていることにより、挿入孔側段部１３ｂよりも下側（奥側、底側）の断面が挿入孔側段部１３ｂよりも上側（入口側）の断面より小さくなっている。すなわち、挿入孔１３は、挿入孔側段部１３ｂより下側が上側より狭い。
【００２８】
また、挿入孔側段部１３ｂを形成する面は、模型歯２０の模型歯台１０の挿入孔１３への挿入方向（上下方向）に対して直交する面、すなわち、模型歯台１０の底面１４と平行な面ではなく、挿入方向に対して傾斜面、すなわち、模型歯台１０の底面１４に対して傾斜した傾斜面である。
この挿入孔側段部１３ｂの傾斜面は２方向に傾斜している。
そのうちの一方向は、図３に示すように、外側から内側に向かうにつれて、上側から下側に向う方向である。
そのうちの他方向は、図４に示すように、奥歯側から前歯側に向かうにつれて、上側から下側に向かう方向である。
【００２９】
次に、模型歯台１０への模型歯２０の取り付け方について説明する。
図５及び図６は模型歯台１０へ模型歯２０を挿入する際の、模型歯２０の移動状態を説明する図である。
まず、図５（ａ）及び図６（ａ）に示すように、模型歯台１０の挿入孔１３の上方から下方に向かう挿入方向に沿って、模型歯２０を下方に向って挿入する。
そうすると、図５（ｂ）及び図６（ｂ）に示すように、模型歯側段部２６と挿入孔側段部１３ｂとが当接する。
この状態で模型歯２０がさらに下方へ移動すると、図５（ｂ）に矢印で示すように、模型歯側段部２６が挿入孔側段部１３ｂに沿って外側から内側の斜め下方にスライドし、模型歯２０は内側の斜め下方に移動した図５（ｃ）の状態となる。
また、図６（ｂ）に矢印で示すように、模型歯側段部２６が挿入孔側段部１３ｂに沿って奥歯側から前歯側の斜め下方にスライドし、模型歯２０は前歯側の斜め下方に移動した図６（ｃ）に示す状態となる。
【００３０】
図７は、模型歯２０全体の移動方向を示した図であり、左側は図５（ａ）、（ｂ）、図６（ａ）、（ｂ）に示す模型歯２０の水平方向の移動前の状態、右側は図５（ｃ）、図６（ｃ）に示す模型歯２０の水平方向の移動後の状態である。
左側に示すように、それぞれの模型歯２０は、点線で示す内側方向と、一点鎖線で示す前歯側方向とを合わせた実線方向、すなわち、互いの距離が近づく方向に移動する。したがって、図７の右側に示すように、実際の歯列により近い、互い模型歯２０の間に隙間が生じていない状態の歯科模型となる。この状態で、それぞれの模型歯２０をネジ３０で固定する。
【００３１】
以上、本実施形態によると、模型歯側段部２６の傾斜面は２方向に傾斜している。そのうちの一方向は、図３に示すように、外側から内側に向かうにつれて、上側から下側に向う方向である。そのうちの他方向は、図４に示すように、奥歯側から前歯側に向かうにつれて、上側から下側に向かう方向である。
また、挿入孔側段部１３ｂの傾斜面は２方向に傾斜している。そのうちの一方向は、図３に示すように、外側から内側に向かうにつれて、上側から下側に向う方向である。そのうちの他方向は、図４に示すように、奥歯側から前歯側に向かうにつれて、上側から下側に向かう方向である。
【００３２】
したがって、模型歯台１０の挿入孔１３の上方から下方に向かう挿入方向に沿って、模型歯２０を下方に向って挿入すると、模型歯側段部２６と挿入孔側段部１３ｂとが当接する。
この状態で模型歯２０がさらに下方へ移動すると、模型歯側段部２６が挿入孔側段部１３ｂに沿って外側から内側の斜め下方にスライドし、模型歯２０は内側の斜め下方に移動した状態となる。また、模型歯側段部２６が挿入孔側段部１３ｂに沿って奥歯側から前歯側の斜め下方にスライドし、模型歯２０は前歯側の斜め下方に移動した状態となる。すなわち、それぞれの模型歯２０は、互いの距離が近づく方向に移動する。
したがって、実際の歯列により近い、互い模型歯２０の間に隙間が生じていない状態の歯科模型となる隣接する模型歯２０同士の間に隙間が生じにくい模型歯２０、模型歯台１０、及び歯科模型１を提供することができる。
【符号の説明】
【００３３】
１    歯科模型
１０    模型歯台
１１    台座部
１２    歯肉部
１３    挿入孔
１３ａ    内側面
１３ｂ    挿入孔側段部
１４    底面
１５    ネジ孔
２０    模型歯
２０Ａ    模型歯
２１    歯冠部
２２    歯根部
２２ａ    外側面
２４    ネジ孔部
２６    模型歯側段部
３０    ネジ
３１    ネジ軸部
３２    ネジ頭部
【図１】
2020065848.tif 000003
【図２】
2020065848.tif 000004
【図３】
2020065848.tif 000005
【図４】
2020065848.tif 000006
【図５】
2020065848.tif 000007
【図６】
2020065848.tif 000008
【図７】
2020065848.tif 000009
【国際調査報告】
2020065848.tif 000010
2020065848.tif 000011
2020065848.tif 000012
2020065848.tif 000013